(57)【要約】【課題】位置ずれを抑制して見栄え品質を向上させることが可能な計器装置を提供する。【解決手段】観察者側に開口するケース３と、このケース３内に収納される表示部材４と、この表示部材４の表示部を透視できるようにケース３の開口側を覆う透視カバー５を備え、透視カバー５に前記表示部の周囲を取り巻く縁部５１と、この縁部５１から前記表示部に対応する領域を含んで観察者側に突出する凸部５２とを設け、この凸部５２が取付部材６に設けた開口部６１に臨むように組み付けてなる計器装置において、縁部５１に取付部材６に設けた位置決め凸部６３に嵌る複数の位置決め凹部５５を所定間隔を空けて複数設けた。【選択図】  図３
2010164498.tif 000002
【特許請求の範囲】
【請求項１】
観察者側に開口するケースと、このケース内に収納される表示部材と、この表示部材の表示部を透視できるようにケースの開口側を覆う透視カバーとを備え、前記透視カバーに前記表示部の周囲を取り巻く縁部と、この縁部から前記表示部に対応する領域を含んで観察者側に突出する凸部とを設け、この凸部が取付部材に設けた開口部に臨むように組み付けてなる計器装置において、前記縁部に前記取付部材に設けた位置決め凸部に嵌る複数の位置決め凹部を所定間隔を空けて複数設けてなることを特徴とする計器装置。
【請求項２】
前記表示部材が表示板を有すると共に前記位置決め凹部の底壁部を前記表示板に接触させてなることを特徴とする請求項１記載の計器装置。
【発明の詳細な説明】
【技術分野】
【０００１】
本発明は、例えば自動二輪車、建設機械、小型船舶に搭載される計器装置に関し、特に計器パネルや化粧パネル等からなる取付パネルの開口部に透視カバーが臨むように配置される計器装置に関するものである。
【背景技術】
【０００２】
この種の計器装置として例えば下記特許文献１に記載されているものが知られている。この計器装置は、観察者側が開口するケースと、このケース内に収納される表示部材と、この表示部材を透視できるようにケースの開口側を覆う透視カバーとを備えている。表示部材は、速度、燃料、水温等を示す計器類の他、表示板に形成したマークを光源によって発光させる発光式のインジケータや走行距離等の各種情報を表示する液晶パネルを含み、透視カバーの観察者側には、表示部材の表示部を取り巻く縁部と、この縁部から表示部に対応する領域を含んで観察者側に突出する凸部とが形成されている。
【０００３】
そして計器装置が取り付けられる計器パネルや化粧パネル等からなる取付部材には、透視カバーの凸部に対応した開口部が形成され、この開口部に透視カバーの凸部が臨むように、取付パネルの背後から開口部に透視カバーの凸部を挿入し、取付部材の開口部の背後側周縁部にカバーの縁部が対向するように計器装置を組み付けるようにしており、この場合、開口部の寸法は組み付けを考慮して凸部よりも大きく設定されるため、組み付け状態において開口部と凸部との間には所定の隙間が存在する。
【先行技術文献】
【特許文献】
【０００４】
【特許文献１】特開平１０−３１８７９６号公報
【発明の概要】
【発明が解決しようとする課題】
【０００５】
しかしながら、前記特許文献１に記載の計器装置では、計器装置の透視カバーに設けた凸部を取付パネルの開口部に挿入するだけであるため、凸部と開口部との位置ずれよって、凸部と開口部との間の隙間が偏ったり、製品毎にばらつく等、一定しないことがあり、改良が望まれていた。
【０００６】
本発明は前述の課題に着目し、位置ずれを抑制して見栄え品質を向上させることが可能な計器装置を提供することを目的とするものである。
【課題を解決するための手段】
【０００７】
本発明は、前述した課題を解決するため、観察者側に開口するケースと、このケース内に収納される表示部材と、この表示部材の表示部を透視できるようにケースの開口側を覆う透視カバーとを備え、前記透視カバーに前記表示部の周囲を取り巻く縁部と、この縁部から前記表示部に対応する領域を含んで観察者側に突出する凸部とを設け、この凸部が取付部材に設けた開口部に臨むように組み付けてなる計器装置において、前記縁部に前記取付部材に設けた位置決め凸部に嵌る複数の位置決め凹部を所定間隔を空けて複数設けてなることを特徴とする。
このように構成することにより、凸部と開口部とが、位置決め凹部と位置決め凸部とにより、互いに近い位置で位置決めされるため、位置ずれを抑制することができる。
【０００８】
また本発明は、前記表示部材が表示板を有すると共に前記位置決め凹部の底壁部を前記表示板に接触させてなることを特徴とする。
このように構成することにより、透視カバーに表示板に接触する部分を設けるにあたり、厚みが増しやすい接触部分の成形時のヒケを凹部で抑えることができる。
【発明の効果】
【０００９】
本発明によれば、初期の目的を達成することができ、位置ずれを抑制して見栄え品質を向上させることが可能な計器装置を提供することができる。
【図面の簡単な説明】
【００１０】
【図１】本発明の一実施形態による計器装置の正面図。
【図２】図１のＡ−Ａ断面図。
【図３】図１のＢ−Ｂ断面図。
【発明を実施するための形態】
【００１１】
以下、本発明の実施の形態について添付図面を用いて説明する。
【００１２】
図１〜図３は、本発明による計器装置の一実施形態を示すもので、図１は本実施形態による計器装置の正面図、図２は図１のＡ−Ａ断面図、図３は図１のＢ−Ｂ断面図である。なお図２及び図３においてハッチングは省略してある。
【００１３】
図１〜図３において、本実施形態による計器装置は、背面カバー１と、回路基板２と、ケース３と、表示部材４と、透視カバー５とを備えている。
【００１４】
背面カバー１は、例えば合成樹脂材料からなり、ケース３及び回路基板２の背面側を覆っている。
【００１５】
回路基板２は、例えば周知の硬質回路基板からなり、図示しない各種配線パターンを有し、この配線パターンに表示部材４や図示しない回路素子が電気接続されている。
【００１６】
ケース３は、例えば合成樹脂材料からなり、少なくとも観察者側に開口しており、表示部材４を収納している。
【００１７】
表示部材４は、この場合、速度、燃料、水温等を示す計器類４１と、光源４２とで構成されるが、各種情報を表示する液晶パネル等の表示素子を採用することもできる。
【００１８】
この計器類４１は、ステッピングモータやエアコアゲージ等からなる駆動源４３と、この駆動源４３によって回転動作する指針４４と、この指針に対応した指標部４５を有する表示板４６とで構成されている。
【００１９】
光源４２は、計器類４１の構成部品でもある表示板４６に形成したマークを発光させる発光式のインジケータを構成するもので、例えば発光ダイオードからなる。
【００２０】
透視カバー５は、例えば透光性合成樹脂からなり、観察者側が底部となってケース３側に開口する略箱形形状を有する。
【００２１】
この透視カバー５は、表示部材４の指針４４や指標部４５、前記マーク等の表示部（表示領域）を透視できるようにケース３の開口部を覆うように配置され、観察者側となる底部には、前記表示部の周囲（外周）を取り巻くように表示部材４またはケース３の開口縁側を覆う縁部５１と、この縁部５１から前記表示部に対応する領域を含んで観察者側に突出し前記表示部を覆う凸部５２とが設けられ、縁部５１と凸部５２とは段部５３を介して連続している。なお透視カバー５は、例えば前記表示部に対応する領域を透光（透明）材料で形成し、残りの箇所を遮光性材料で形成してもよい。
【００２２】
このように構成される計器装置は、透視カバー５の凸部５２が計器パネルや化粧パネル等からなる取付部材６に設けた開口部６１に臨むように組み付けられる。
【００２３】
すなわち、取付部材６の開口部６１は、凸部５２に対応しており、取付部材６の背後から凸部５２を開口部６１に挿入することにより、凸部５２が開口部６１に臨み、これにより取付部材６の前方から前記表示部が視認できるようになっている。
【００２４】
取付部材６に対する計器装置の取り付けは、ケース３及び透視カバー５の各側壁部に設けた取付片３１，５４を取付部材６に設けた取付ボス６２にネジ止めすることにより行われる。
【００２５】
ここで、透視カバー５の縁部５１には、位置決め凹部５５が複数形成され、また取付部材６には位置決め凹部５５に嵌る位置決め凸部６３が複数形成され、これら位置決め凸部６３が位置決め凹部５５に嵌ることにより、透視カバー５の凸部５２と取付部材６の開口部６１とを位置決めする構成となっている。
【００２６】
これら位置決め凹部５５と位置決め凸部６３は、長方形をなす凸部５２の長辺に三箇所、短辺に一箇所、所定の間隔を空けて複数形成されているが、形成数については任意である。
【００２７】
また位置決め凹部５５の底壁部は、表示板４６に接触しており、これにより表示板４６を前方側から抑えて振動や浮き等を防止する受部５６を構成している。
【００２８】
以上のように本実施形態では、観察者側に開口するケース３と、このケース３内に収納される表示部材４と、この表示部材４の表示部を透視できるようにケース３の開口側を覆う透視カバー５を備え、透視カバー５に前記表示部の周囲を取り巻く縁部５１と、この縁部５１から前記表示部に対応する領域を含んで観察者側に突出する凸部５２とを設け、この凸部５２が取付部材６に設けた開口部６１に臨むように組み付けてなる計器装置において、縁部５１に取付部材６に設けた位置決め凸部６３に嵌る複数の位置決め凹部５５を所定間隔を空けて複数設けたことにより、凸部５２と開口部６１とが、位置決め凹部５５と位置決め凸部６３とにより、互いに近い位置で位置決めされるため、位置ずれを抑制することができる。
【００２９】
また本実施形態では、位置決め凹部５５の底壁部を表示板４６に接触させて受部５６として設けたことにより、透視カバー５に表示板４６に接触する部分を設けるにあたり、厚みが増しやすい接触部分の成形時のヒケを凹部５５で抑えることができる。すなわち凹部５５に位置決め機能と成形時のヒケ防止機能の二つを持たせることができる。
【００３０】
なお本実施形態では、取付部材６を単一部品としたが、複数に分割し、分割した各々の取付部材に位置決め凸部６３を設け、透視カバー５と位置決めしてもよい。
【符号の説明】
【００３１】
１  背面カバー
２  回路基板
３  ケース
４  表示部材
５  透視カバー
３１  取付片
４１  計器類
４２  光源
４３  駆動源
４４  指針
４５  指標部
４６  表示板
５１  縁部
５２  凸部
５３  段部
５４  取付片
５５  位置決め凹部
５６  受部
６１  開口部
６２  取付ボス
６３  位置決め凸部
【図１】
2010164498.tif 000003
【図２】
2010164498.tif 000004
【図３】
2010164498.tif 000005